(57)【特許請求の範囲】
【請求項１】
運転側蒸気ドラムおよび待機側蒸気ドラムと、この両蒸気ドラムに接続する給水配管と、この給水配管から前記両蒸気ドラムに流入した給水を流出し蒸気発生器で加熱して前記両蒸気ドラムへ戻す給水循環系と、前記両蒸気ドラムに取付けた凝縮水出口配管に接続したブロー水冷却器および第１の電磁弁を有する排水系と、前記第１の電磁弁に電気的に接続する前記両蒸気ドラムにそれぞれ接続されたレベルスイッチと、前記両蒸気ドラムにそれぞれ接続した蒸気主配管と、この蒸気主配管に分岐接続した蒸気供給配管と、この蒸気供給配管に接続した蒸気使用負荷と、この蒸気使用負荷の凝縮水出口側と前記給水配管との間に直列接続した凝縮水回収設備および給水タンクと、前記運転側蒸気ドラムと前記待機側蒸気ドラムとの間に減圧弁を介して接続した暖気用配管とを具備する原子力発電所用補助ボイラ設備において、前記両蒸気ドラムと前記ブロー水冷却器との間に取付けた凝縮水出口配管または前記第１の電磁弁入口側配管から分岐して凝縮水流出配管の一端を接続し、この凝縮水流出配管の他端を合流配管を介して前記給水タンクに接続するとともに、前記凝縮水流出配管に第２の電磁弁を設け、この第２の電磁弁を前記レベルスイッチに電気的に接続してなることを特徴とする原子力発電所用補助ボイラ設備。
【請求項２】
運転側蒸気ドラムおよび待機側蒸気ドラムと、この両蒸気ドラムに接続する給水配管と、この給水配管から前記両蒸気ドラムに流入した給水を流出し蒸気発生器で加熱して前記両蒸気ドラムへ戻す給水循環系と、前記両蒸気ドラムに取付けた凝縮水出口配管に接続したブロー水冷却器および第１の電磁弁を有する排水系と、前記第１の電磁弁に電気的に接続する前記両蒸気ドラムにそれぞれ接続されたレベルスイッチと、前記両蒸気ドラムにそれぞれ接続した蒸気主配管と、この蒸気主配管に分岐接続した蒸気供給配管と、この蒸気供給配管に接続した蒸気使用負荷と、この蒸気使用負荷の凝縮水出口側と前記給水配管との間に直列接続した凝縮水回収設備および給水タンクと、前記運転側蒸気ドラムと前記待機側蒸気ドラムとの間に減圧弁を介して接続した暖気用配管とを具備する原子力発電所用補助ボイラ設備において、前記両蒸気ドラムと前記ブロー水冷却器との間に取付けた凝縮水出口配管または前記第１の電磁弁入口側配管に第２の電磁弁を介して凝縮水流出配管の一端を接続し、この凝縮水流出配管の他端を合流配管を介して前記凝縮水回収設備に接続してなることを特徴とする原子力発電所用補助ボイラ設備。
【請求項３】
運転側蒸気ドラムおよび待機側蒸気ドラムと、この両蒸気ドラムに接続する給水配管と、この給水配管から前記両蒸気ドラムに流入した給水を流出し蒸気発生器で加熱して前記両蒸気ドラムへ戻す給水循環系と、前記両蒸気ドラムに取付けた凝縮水出口配管に接続したブロー水冷却器および第１の電磁弁を有する排水系と、前記第１の電磁弁に電気的に接続する前記両蒸気ドラムにそれぞれ接続されたレベルスイッチと、前記両蒸気ドラムにそれぞれ接続した蒸気主配管と、この蒸気主配管に分岐接続した蒸気供給配管と、この蒸気供給配管に接続した蒸気使用負荷と、この蒸気使用負荷の凝縮水出口側と前記給水配管との間に直列接続した凝縮水回収設備および給水タンクと、前記運転側蒸気ドラムと前記待機側蒸気ドラムとの間に減圧弁を介して接続した暖気用配管とを具備する原子力発電所用補助ボイラ設備において、前記両蒸気ドラムと前記ブロー水冷却器との間に取付けた凝縮水出口配管または前記第１の電磁弁入口側配管に第２の電磁弁を介して凝縮水流出配管の一端を接続し、この凝縮水流出配管の他端を前記給水タンクおよび前記凝縮水回収設備に接続してなることを特徴とする原子力発電所用補助ボイラ設備。
【発明の詳細な説明】
【０００１】
【発明の属する技術分野】
本発明は原子力発電所に設置されている原子力発電所用補助ボイラ設備に関する。
【０００２】
【従来の技術】
一般に沸騰水型原子力発電所には、屋内のタンク加温用，廃棄物処理系のプロセス用，原子力発電プラント（以下、プラントと記す）の起動，停止時のタービングランドシール用，蒸気式空気抽出器の蒸気供給源として補助ボイラ設備が設置されている。
【０００３】
この補助ボイラ設備の蒸気発生量はタービングランドシール，蒸気式空気抽出器へ蒸気供給するプラントの起動，停止時が最大となり、プラント通常運転時の最大蒸気供給量の２分の１以下となる。このため、補助ボイラ設備の基数は１基の点検を考慮し２基以上の構成となっており、プラントの通常運転時に補助ボイラ設備の全基数は運転されていない。
【０００４】
一方、前記原子力発電所によっては万一の緊急プラント計画外停止時にも補助ボイラ設備からの蒸気を短時間にタービングランドシール，蒸気式空気抽出器に供給する。これによって、より安全にタービン系の停止を行うことができ、かつ短時間にプラント再起動が可能なようにプラント通常運転時に停止している補助ボイラ設備を暖気待機状態にし、補助ボイラ設備の起動完了を短時間に行えるようにしている。
【０００５】
図３により従来の原子力発電所用補助ボイラ設備を強制循環型電気加熱管式ボイラを例にして説明する。
図３は補助ボイラ設備の主体としての運転側蒸気ドラム１が１基で運転中であり、他の補助ボイラ設備の主体としての待機側蒸気ドラム２が１基で待機中で、運転側蒸気ボイラ１の蒸気により待機側蒸気ドラム２内に発生する凝縮水を系外排出する構成を示している。
【０００６】
運転側蒸気ドラム１および待機側蒸気ドラム２内にはそれぞれ気液分離装置（図示せず）が設けられている。運転側蒸気ドラム１および待機側蒸気ドラム２にはそれぞれ給水入口配管４が接続しており、給水入口配管４は給水主配管３に接続しており、給水主配管３の上流側は給水ポンプ５を介して給水タンク６に接続している。
【０００７】
運転側蒸気ドラム１および待機側蒸気ドラム２には給水系，排水系，蒸気系および暖気系があり、給水系には給水出口配管７，循環ポンプ８，蒸気発生器９および加熱水戻り配管10が直列接続された給水循環系11が設けられている。
【０００８】
排水系は両蒸気ドラム１，２内の凝縮水を流出する凝縮水出口配管12，ブロー水冷却器13，電磁弁入口配管を有する電磁弁14および排水系15の配管が接続されたものからなり、電磁弁14は両蒸気ドラム１，２に取付けられたレベルスイッチ16と信号ケーブル17を介して電気的に接続している。
【０００９】
蒸気系は蒸気止め弁18を有する蒸気主配管19と、この蒸気主配管19に分岐して接続した蒸気供給配管20とからなり、蒸気供給配管20は蒸気使用負荷21に接続している。蒸気使用負荷21は複数台が並列接続されており、複数台の蒸気使用負荷21の凝縮水出口側は合流して凝縮水配管22の一端に接続し、凝縮水配管22の他端は凝縮水回収設備23に接続している。凝縮水回収設備23の下流側は給水タンク６に凝縮水流出配管24を介して接続している。
【００１０】
暖気系は運転側蒸気ドラム１と待機側蒸気ドラム２とを接続する暖気用配管25と、この暖気用配管25に設けられた２個の減圧弁26とからなっている。２個の減圧弁26間の暖気用配管25は蒸気供給管20に分岐接続している。待機側蒸気ドラム２への暖気は蒸気主配管19，蒸気供給管20および暖気用配管25を通して供給される。
【００１１】
上記構成の原子力発電所用補助ボイラ設備においては、待機側蒸気ドラム２の電磁弁14と蒸気止め弁18を閉止状態として、大気圧状態の給水タンク６内の給水を給水ポンプ５により吸い込んで給水主配管３を通して運転側蒸気ドラム１へ送水する。運転側蒸気ドラム１に送水された給水は給水出口配管７を通して循環ポンプ８により蒸気発生器９に送られ、加熱されて気液二相流の加熱水となって加熱水戻り配管10を流れ、運転側蒸気ドラム１に流入する。
【００１２】
運転側蒸気ドラム１に流入した気液二相の加熱水は運転側蒸気ドラム１内の気液分離装置で蒸気と高温の液体に分離した後、蒸気は蒸気止め弁18，蒸気主配管19，蒸気供給配管20を通して蒸気使用負荷21に供給される。
【００１３】
蒸気使用負荷21で消費された蒸気は凝縮水となって凝縮水配管22を通して凝縮水回収設備23に一旦回収され、この凝縮水回収設備23内のポンプにより凝縮水流出配管24を通して給水タンク６内に送水され、再び給水主配管３を通し運転側蒸気ドラム１に供給し再利用する。
【００１４】
また、運転側蒸気ドラム１内の濃縮を防止するため、凝縮水を凝縮水出口配管12を通してドレンし、ブロー水冷却器13へ流入して、全蒸発量の数％程度の水量を冷却後、電磁弁14を通して常時排水系15に排出している。
【００１５】
一方、待機側蒸気ドラム２は蒸気止め弁18および電磁弁14を閉止状態としているため、暖気用蒸気は蒸気供給配管20から分岐した暖気用配管25，減圧弁26を通して待機側蒸気ドラム２に供給される。
【００１６】
暖気用蒸気の供給に伴い、待機側蒸気ドラム２内には凝縮水が発生し、待機側蒸気ドラム２内の水位が上昇するため、設定水位以上になると、レベルスイッチ16からの信号により電磁弁14が開き、待機側蒸気ドラム２内の内圧によって凝縮水は余剰水となって排水系15に排出され、水位が通常水位に回復すると、レベルスイッチ16からの信号により電磁弁14は閉止する。
【００１７】
【発明が解決しようとする課題】
従来の原子力発電所用補助ボイラ設備は上述したように、原子力発電プラントの通常運転期間中に暖気用蒸気の供給に伴い待機用蒸気ドラム２内に発生する凝縮水は余剰水となって凝縮水出口配管12，ブロー水冷却器13，電磁弁14を通り、排水系15を流れて系外排出される。
【００１８】
したがって、給水タンク６に必要とする補給水が排水系15から大量に流出して減少することになり、給水タンク６に補給するための補給水量を多く必要とし増加する課題がある。また、補給水量の増加に伴い給水温度の低下による蒸気発生効率が低下する課題がある。
【００１９】
本発明は上記課題を解決するためになされたもので、運転側ないしは待機側蒸気ドラム内に発生する凝縮水を系外排出することなく、暖気用蒸気ドラムの給水として再利用することができ、補給水の大幅な節約が図れ、給水温度を上昇して蒸気発生効率を向上させることができる原子力発電所用補助ボイラ設備を提供することにある。
【００２０】
【課題を解決するための手段】
請求項１に対応する発明は、運転側蒸気ドラムおよび待機側蒸気ドラムと、この両蒸気ドラムに接続する給水配管と、この給水配管から前記両蒸気ドラムに流入した給水を流出し蒸気発生器で加熱して前記両蒸気ドラムへ戻す給水循環系と、前記両蒸気ドラムに取付けた凝縮水出口配管に接続したブロー水冷却器および第１の電磁弁を有する排水系と、前記第１の電磁弁に電気的に接続する前記両蒸気ドラムにそれぞれ接続されたレベルスイッチと、前記両蒸気ドラムにそれぞれ接続した蒸気主配管と、この蒸気主配管に分岐接続した蒸気供給配管と、この蒸気供給配管に接続した蒸気使用負荷と、この蒸気使用負荷の凝縮水出口側と前記給水配管との間に直列接続した凝縮水回収設備および給水タンクと、前記運転側蒸気ドラムと前記待機側蒸気ドラムとの間に減圧弁を介して接続した暖気用配管とを具備する原子力発電所用補助ボイラ設備において、前記両蒸気ドラムと前記ブロー水冷却器との間に取付けた凝縮水出口配管または前記第１の電磁弁入口側配管から分岐して凝縮水流出配管の一端を接続し、この凝縮水流出配管の他端を合流配管を介して前記給水タンクに接続するとともに、前記凝縮水流出配管に第２の電磁弁を設け、この第２の電磁弁を前記レベルスイッチに電気的に接続してなることを特徴とする。
【００２１】
本発明によれば、運転側または待機側蒸気ドラム内のブロー水を含む凝縮水を第２の電磁弁を通して凝縮水流出配管から合流配管を経て給水タンク内へ流入する。運転側または待機側蒸気ドラムの水位が暖気用蒸気の供給に伴い発生する凝縮水が設定水位まで上昇するとレベルスイッチからの信号により第２の電磁弁が開き、発生した高温の凝縮水は運転側または待機側蒸気ドラムの内圧により配管を通して給水タンクに送水される。この送水により運転側または待機側蒸気ドラムの水位が通常位に回復するとレベルスイッチからの信号により第２の電磁弁が閉じる。
【００２２】
これにより、暖気待機時に運転側または待機側蒸気ドラム内に発生する凝縮水を系外排出することなく、合理的に暖気蒸気発生源の給水として再利用することで補給水の節約を図ることができる。
【００２３】
請求項２に対応する発明は、運転側蒸気ドラムおよび待機側蒸気ドラムと、この両蒸気ドラムに接続する給水配管と、この給水配管から前記両蒸気ドラムに流入した給水を流出し蒸気発生器で加熱して前記両蒸気ドラムへ戻す給水循環系と、前記両蒸気ドラムに取付けた凝縮水出口配管に接続したブロー水冷却器および第１の電磁弁を有する排水系と、前記第１の電磁弁に電気的に接続する前記両蒸気ドラムにそれぞれ接続されたレベルスイッチと、前記両蒸気ドラムにそれぞれ接続した蒸気主配管と、この蒸気主配管に分岐接続した蒸気供給配管と、この蒸気供給配管に接続した蒸気使用負荷と、この蒸気使用負荷の凝縮水出口側と前記給水配管との間に直列接続した凝縮水回収設備および給水タンクと、前記運転側蒸気ドラムと前記待機側蒸気ドラムとの間に減圧弁を介して接続した暖気用配管とを具備する原子力発電所用補助ボイラ設備において、前記両蒸気ドラムと前記ブロー水冷却器との間に取付けた凝縮水出口配管または前記第１の電磁弁入口側配管に第２の電磁弁を介して凝縮水流出配管の一端を接続し、この凝縮水流出配管の他端を合流配管を介して前記凝縮水回収設備に接続してなることを特徴とする。
【００２４】
本発明によれば、請求項１の発明における給水タンクの代わりに凝縮水回収設備を置き換えたことにあり、凝縮水回収設備に運転側または待機側蒸気ドラムからの凝縮水を流入し回収できる以外は請求項１の発明と同様である。
【００２８】
請求項３に対応する発明は、運転側蒸気ドラムおよび待機側蒸気ドラムと、この両蒸気ドラムに接続する給水配管と、この給水配管から前記両蒸気ドラムに流入した給水を流出し蒸気発生器で加熱して前記両蒸気ドラムへ戻す給水循環系と、前記両蒸気ドラムに取付けた凝縮水出口配管に接続したブロー水冷却器および第１の電磁弁を有する排水系と、前記第１の電磁弁に電気的に接続する前記両蒸気ドラムにそれぞれ接続されたレベルスイッチと、前記両蒸気ドラムにそれぞれ接続した蒸気主配管と、この蒸気主配管に分岐接続した蒸気供給配管と、この蒸気供給配管に接続した蒸気使用負荷と、この蒸気使用負荷の凝縮水出口側と前記給水配管との間に直列接続した凝縮水回収設備および給水タンクと、前記運転側蒸気ドラムと前記待機側蒸気ドラムとの間に減圧弁を介して接続した暖気用配管とを具備する原子力発電所用補助ボイラ設備において、前記両蒸気ドラムと前記ブロー水冷却器との間に取付けた凝縮水出口配管または前記第１の電磁弁入口側配管に第２の電磁弁を介して凝縮水流出配管の一端を接続し、この凝縮水流出配管の他端を前記給水タンクおよび前記凝縮水回収設備に接続してなることを特徴とする。
【００２９】
本発明によれば、両蒸気ドラム内の凝縮水を凝縮水流出配管を通して給水タンクと凝縮水回収設備に同時に回収することができるので、両者の負担を軽減できる効果と、請求項１と２の発明の作用効果を合わせ持つ相乗効果がある。
【００３１】
【発明の実施の形態】
図１により本発明に係る原子力発電所用補助ボイラ設備の第１の実施の形態を説明する。
図１は補助ボイラ設備の運転側蒸気ドラム１が１基で運転状態にあり、他の補助ボイラ設備の待機側蒸気ドラム２が１基で運転側蒸気ドラム１の蒸気により暖気待機中運転状態となっており、蒸気ドラム１，２内に発生する凝縮水を給水タンク６に回収する構成を示している。
【００３２】
すなわち、運転側蒸気ドラム１および待機側蒸気ドラム２内にはそれぞれ気液分離装置（図示せず）が設けられている。運転側蒸気ドラム１および待機側蒸気ドラム２には給水入口配管４，給水出口配管７，蒸気主配管19および凝縮水出口配管12が接続している。給水入口配管４は給水主配管３に接続し、給水主配管３の上流側には給水ポンプ５および給水タンク６が直列接続している。
【００３３】
運転側蒸気ドラム１および待機側蒸気ドラム２には給水出口配管７，循環ポンプ８，蒸気発生器９および加熱水戻り配管10が直列接続された給水循環系11が設けられている。
【００３４】
凝縮水出口配管12の下流側には、ブロー水冷却器13および電磁弁入口配管を有する第１の電磁弁14ａが直列接続された排水系15に接続されている。第１の電磁弁14ａは運転側蒸気ドラム１および待機側蒸気ドラム２に取付けられたレベルスイッチ16と第１の信号ケーブル17ａにより電気的に接続している。
【００３５】
蒸気主配管19には蒸気止め弁18が接続しており、蒸気主配管19は運転側蒸気ドラム１と待機側蒸気ドラム２とを蒸気止め弁18を介して連結されており、蒸気主配管19に分岐して蒸気供給配管20が接続し、蒸気供給配管20は蒸気使用負荷21に接続している。
【００３６】
蒸気使用負荷21は複数台が並列接続されており、複数台の蒸気使用負荷21の凝縮水出口側は合流して凝縮水配管22の一端に接続し、凝縮水配管22の他端は凝縮水回収設備23に接続している。凝縮水回収設備23の下流側は給水タンク６に凝縮水流出配管24を介して接続している。
【００３７】
運転側蒸気ドラム１と待機側蒸気ドラム２にはそれぞれ暖気用配管25が接続して連結し、暖気用配管25にはそれぞれ減圧弁26が接続している。それぞれの減圧弁26間に蒸気供給配管20が接続されている。待機側蒸気ドラム２への暖気は蒸気主配管19，蒸気供給配管20および暖気用配管25を通して供給される。
【００３８】
ブロー水出口配管12に分岐して凝縮水流出配管27の一端を接続し、凝縮水流出配管27の他端を合流配管28の一端に接続する。合流配管28の他端を給水タンク６に接続する。凝縮水流出配管27には第２の電磁弁14ｂが取付けられており、第２の電磁弁14ｂは第２の信号ケーブル17ｂによりレベルスイッチ16に電気的に接続している。
【００３９】
上記構成の原子力発電所用補助ボイラ設備においては、待機側蒸気ドラム２の第１の電磁弁14ａと蒸気止め弁18を閉止状態として、大気圧状態の給水タンク６内の給水を給水ポンプ５により吸い込んで給水主配管３を通して運転側蒸気ドラム１へ送水する。運転側蒸気ドラム１に送水された給水は給水出口配管７を通して循環ポンプ８により蒸気発生器９に送られ、加熱されて気液二相流の加熱水となって加熱水戻り配管10を流れ、運転側蒸気ドラム１に流入する。
【００４０】
運転側蒸気ドラム１に流入した気液二相の加熱水は運転側蒸気ドラム１内の気液分離装置で蒸気と高温の液体に分離した後、蒸気は蒸気止め弁18，蒸気主配管19，蒸気供給配管20を通して蒸気使用負荷21に供給される。
【００４１】
蒸気使用負荷21で消費された蒸気は凝縮水となって凝縮水配管22を通して凝縮水回収設備23に一旦回収され、この凝縮水回収設備23内のポンプにより凝縮水流出配管24を通して給水タンク６内に送水され、再び給水主配管３を通して運転側蒸気ドラム１に供給し再利用する。
【００４２】
また、運転側蒸気ドラム１内の不純物の濃縮を防止するため、ブロー水を凝縮水出口配管12からブロー水冷却器13へ流入して、全蒸発量の数％程度の水量を冷却後、第１の電磁弁14ａを通して常時排水系15に排出している。
【００４３】
一方、待機側蒸気ドラム２は蒸気止め弁18および第１の電磁弁14ａを閉止状態としているため暖気用蒸気は蒸気供給配管20から分岐した暖気用配管25，減圧弁26を通して待機側蒸気ドラム２に供給される。
【００４４】
暖気用蒸気の供給に伴い待機側蒸気ドラム２内には凝縮水が発生し、待機側蒸気ドラム２内の水位が上昇するため、設定水位以上になるとレベルスイッチ16からの信号により第２の電磁弁14ｂが開き、待機側蒸気ドラム２内の内圧によって凝縮水は余剰水となって凝縮水流出配管27および合流配管28を流れて給水タンク６内に送水する。
【００４５】
なお、この場合には待機側蒸気ドラム２の第１の電磁弁14ａは閉止状態となっているので、排水系15に凝縮水が流出することはない。この送水により待機側蒸気ドラム２の水位が通常水位に回復するとレベルスイッチ16からの信号により第２の電磁弁14ｂは閉止状態となる。
【００４６】
しかして、本実施の形態によれば、暖気待機時に待機側蒸気ドラム２内に発生する凝縮水を系外に排出することがなく、合理的に暖気蒸気源の給水として再利用することができ、もって補給水の節約を図ることができる。また、給水温度が上昇するため、蒸気発生効率の向上を図ることができる。
【００４７】
なお、本実施の形態においては運転側蒸気ドラム１と待機側蒸気ドラム２のブロー水冷却器13の入口側配管となる凝縮水出口配管12から分岐した凝縮水配管27を合流配管28を介して給水タンク６に接続した例で説明したが、この例に限ることなく、前記各ドラム１，２内に発生する凝縮水を暖気用蒸気発生源の給水として再利用できるように構成することができる。
【００４８】
つぎに図２により本発明に係る原子力発電所用補助ボイラの第２の実施の形態を説明する。
図２中、図１と同一部分には同一符号を付して重複する部分の説明は省略する。本実施の形態が図１に示した第１の実施の形態と異なる点は合流配管28の下流側を凝縮水回収設備23に接続した点と、蒸気使用負荷21の蒸気入口側配管つまり蒸気供給配管20に分岐管29を接続し、この分岐管29に止め弁30を接続し、止め弁30の下流側にスチームコンバータ設備31を接続し、スチームコンバータ設備31の下流側に下流側配管32を接続し、下流側配管32を凝縮水流出配管24に接続した点にある。
【００４９】
すなわち、本実施の形態は図２に示したように蒸気発生源としての補助ボイラ設備の主体となる運転側蒸気ドラム１および待機側蒸気ドラム２の他に、スチームコンバータ設備31を設けている。運転側蒸気ドラム１および待機側蒸気ドラム２はともに、蒸気止め弁18および第１の電磁弁14ａが閉止状態で、他の弁が開状態で、スチームコンバータ設備31の蒸気により暖気待機運転中状態となっており、凝縮水回収設備23に凝縮水を回収する構成となっている。スチームコンバータ設備31は原子炉余蒸気を利用したものである。
【００５０】
スチームコンバータ設備で発生した蒸気は止め弁30，分岐管29を通り、蒸気使用負荷21へ供給される。スチームコンバータ設備31で凝縮した凝縮水は下流側配管32を通り凝縮水流出配管24を流れ給水タンク６に流入して回収される。蒸気使用負荷21で消費された蒸気と凝縮水は凝縮水配管22を通って凝縮水回収設備23に一旦回収された後、凝縮水流出配管24を通り給水タンク６内に流入し、回収される。
【００５１】
なお、本実施の形態において、運転側蒸気ドラム１，待機側蒸気ドラム２内に発生する凝縮水の取り出しをブロー水冷却器の出口配管や凝縮水出口配管とすることもできる。
【００５２】
本実施の形態によれば、暖気用蒸気供給源が補助ボイラでなくスチームコンバータ設備31によるため、運転側および待機側蒸気ドラム１，２内に発生する凝縮水を一旦凝縮水回収設備23に流入させた後、スチームコンバータ設備31からの凝縮水とともに給水タンク６に流入させることができる。
【００５３】
【発明の効果】
本発明によれば、補助ボイラ設備における既設の系外排出ラインまたは蒸気ドラムから暖気用蒸気発生源の給水タンクに接続する配管を設けることによって、ボイラ暖気待機時に蒸気ドラム内に発生する凝縮水を系外排出することなく、合理的に暖気蒸気発生源の給水として再利用することができ、よって補給水の節約を図ることができる。
【００５４】
また、ブロー水冷却器を介さないで蒸気ドラム内の凝縮水を回収する場合は、高温の凝縮水が暖気用蒸気発生源の給水タンクに送水されるため、この蒸気発生源の蒸気発生効率向上を図ることができる。
【図面の簡単な説明】
【図１】本発明に係る原子力発電所用補助ボイラ設備の第１の実施の形態を示す機器，配管系統図。
【図２】本発明に係る原子力発電所用補助ボイラ設備の第２の実施の形態を示す機器，配管系統図。
【図３】従来の原子力発電所用補助ボイラ設備を示す機器，配管系統図。
【符号の説明】
１…運転側蒸気ドラム、２…待機側蒸気ドラム、３…給水主配管、４…給水入口配管、５…給水ポンプ、６…給水タンク、７…給水出口配管、８…循環ポンプ、９…蒸気発生器、10…加熱水戻り配管、11…給水循環系、12…凝縮水出口配管、13…ブロー水冷却器、14…電磁弁、14ａ…第１の電磁弁、14ｂ…第２の電磁弁、15…排水系、16…レベルスイッチ、17…信号ケーブル、17ａ…第１の信号ケーブル、17ｂ…第２の信号ケーブル、18…蒸気止め弁、19…蒸気主配管、20…蒸気供給配管、21…蒸気使用負荷、22…凝縮水配管、23…凝縮水回収設備、24…凝縮水流出配管、25…暖気用配管、26…減圧弁、27…凝縮水流出配管、28…合流配管、29…分岐管、30…止め弁、31…スチームコンバータ設備、32…下流側配管。
【図１】
0003871804.tif 000002
【図２】
0003871804.tif 000003
【図３】
0003871804.tif 000004